(57)【要約】【課題】  本発明は、各種作業を行う作業者に対し、実働中の配電盤を確実に認識させた上で、実働中の配電盤への接近に対する注意を確実に促すことができ、多少の接触で配電盤を誤操作（ミストリップ）したり、破損させたりすることのない実働配電盤表示具を提供することを課題とする。【解決手段】  複数の配電盤Ｐ１，Ｐ２，Ｐ３…のうち、実働中の配電盤Ｐ１，Ｐ２，Ｐ３…を表示する実働配電盤表示具であって、配電盤Ｐ１，Ｐ２，Ｐ３…が実働中である旨を表示する表示シート１と、配電盤Ｐ１，Ｐ２，Ｐ３…に取り付けられ、少なくとも配電盤Ｐ１，Ｐ２，Ｐ３…の操作領域Ｏａに対して表示シート１を所定間隔で対向させて係止するシート係止体２とを備え、表示シート１がシート係止体２に係脱可能、又はシート係止体２が配電盤Ｐ１，Ｐ２，Ｐ３…に着脱可能にしたことを特徴とする。【選択図】図２
2006223072.tif 000002
【特許請求の範囲】
【請求項１】
並設された複数の配電盤のうち、実働中の配電盤を表示する実働配電盤表示具であって、配電盤が実働中である旨を示す表示シートと、配電盤に取り付けられ、少なくとも配電盤の前面に形成された操作領域に対して表示シートを所定間隔で対向させて係止するシート係止体とを備え、表示シートがシート係止体に係脱可能、又はシート係止体が配電盤に着脱可能に構成されていることを特徴とする実働配電盤表示具。
【請求項２】
前記表示シートは、シート係止体に対して係脱可能に構成され、前記シート係止体は、配電盤に取り付けられると共に、表示シートを係止する係止部が先端に形成され、該係止部が配電盤の前面よりも前方に位置するように配電盤の前面から前方に向けて延出した延出状態と、配電盤の前面から後方側に退避した収納状態とに切り替え可能に構成されている請求項１記載の実働配電盤表示具。
【請求項３】
前記シート係止体は、基端部が配電盤に枢着され、枢着支点回りで回転させることで前記延出状態と収納状態とに切り替え可能に構成されている請求項２記載の実働配電盤表示具。
【請求項４】
前記シート係止体は、配電盤の上部に取り付けられ、前記表示シートは、一端部にシート係止体に係止される被係止部が形成されると共に、他端部に錘部が形成されている請求項１乃至３の何れかに記載の実働配電盤表示具。
【請求項５】
前記表示シートは、少なくとも前記操作領域を視認可能な透明領域を有している請求項１乃至４の何れかに記載の実働配電盤表示具。
【発明の詳細な説明】
【技術分野】
【０００１】
本発明は、変電所や、発電所、各種プラント等において並設された複数の配電盤のうち、実働中の配電盤を表示する実働配電盤表示具に関する。
【背景技術】
【０００２】
従来から、変電所や、発電所、各種プラント等の電力供給設備には、受電盤や、リレー盤、Ｒｖ盤、オシロ盤、ＦＬ盤、ＴＣ盤等といった複数の配電盤が並設されている。
【０００３】
ところで、電力供給設備は、常に電力供給を行わなければならないため、複数の配電盤の何れかが故障した際の修理や、配電盤の入れ替え作業、新設作業を行うに際し、その他の配電盤を実働状態にしておく必要がある。
【０００４】
そのため、作業者が実働中の配電盤に誤って触れたり、作業対象の配電盤と間違ったりしないように、粘着テープを介して実働中の配電盤の前面に透明な樹脂シートを貼着し、その樹脂シートを目印にして、各作業者に配電盤が実働中である旨の注意を促すようにしている。
【発明の開示】
【発明が解決しようとする課題】
【０００５】
しかしながら、前述の如く、作業者に配電盤が実働中である旨の注意を促していても、作業者が樹脂シートに接触する場合があり、実働中の配電盤の操作領域にあるスイッチ等が作動して電力供給が停止してしまう虞がある。即ち、配電盤の前面に樹脂シートを貼着すると、配電盤の前面に形成された操作領域と樹脂シートとが接触状態になってしまうため、作業者が誤って樹脂シートに触れると配電盤を誤操作（ミストリップ）したり、破損させたりして安定した電力供給を行えない状態になる虞があった。
【０００６】
そこで、本発明は、斯かる実情に鑑み、各種作業を行う作業者に対し、実働中の配電盤を確実に認識させた上で、実働中の配電盤への接近に対する注意を確実に促すことができ、多少の接触で配電盤を誤操作（ミストリップ）したり、破損させたりすることのない実働配電盤表示具を提供することを課題とする。
【課題を解決するための手段】
【０００７】
本発明に係る実働配電盤表示具は、並設された複数の配電盤のうち、実働中の配電盤を表示する実働配電盤表示具であって、配電盤が実働中である旨を示す表示シートと、配電盤に取り付けられ、少なくとも配電盤の前面に形成された操作領域に対して表示シートを所定間隔で対向させて係止するシート係止体とを備え、表示シートがシート係止体に係脱可能、又はシート係止体が配電盤に着脱可能に構成されていることを特徴とする。なお、ここで「配電盤」とは、前面に直接的或いは間接的に操作可能な操作領域を備えたものであって、例えば、受電盤や、リレー盤、Ｒｖ盤、オシロ盤、ＦＬ盤、Ｔｒ盤、ＴＣ盤等を含む概念である。また、「操作領域」とは、計測器類やスイッチ類が配設された領域であって、目視等の確認（計器類の確認）等の間接的な操作や、スイッチ類の切換（スイッチのオン−オフ操作）等の直接的な操作を行う領域を含む概念である。
【０００８】
上記構成の実働配電盤表示具によれば、配電盤が実働中である旨を表示する表示シートと、前記配電盤に取り付けられ、配電盤の前面に形成された操作領域に対して表示シートを所定間隔で対向させて係止するシート係止体とを備えているので、表示シートの存在によって、周辺の作業者に対して配電盤が実働中である旨の注意を促すことができる。その上、シート係止体に係止された表示シートは、配電盤の前面（操作領域）に対して所定間隔を有して対向しているので、作業者が配電盤側に接近してきたときに、まず表示シートに接触することになり、実働中の配電盤に接近しすぎている旨の注意を促すことができる。また、配電盤の前面と表示シートとの間に間隙が形成されることで、仮に作業者が表示シートに接触しても、表示シートへの接触によって配電盤の操作領域に表示シートが接触して誤操作（ミストリップ）したり、破損させたりするのを防止することができる。
【０００９】
さらに、前記表示シートがシート係止体に係脱可能、又はシート係止体が配電盤に着脱可能に構成されているので、表示シートをシート係止体に係脱するか、或いは、シート係止体を配電盤に着脱することで、複数の配電盤に対する作業に応じて当該実働配電盤表示具（主として表示シート）を付け外しすることができる。
【００１０】
本発明の一態様として、前記表示シートは、シート係止体に対して係脱可能に構成され、前記シート係止体は、配電盤に取り付けられると共に、表示シートを係止する係止部が先端に形成され、該係止部が配電盤の前面よりも前方に位置するように配電盤の前面から前方に向けて延出した延出状態と、配電盤の前面から後方側に退避した収納状態とに切り替え可能に構成されてもよい。このようにすれば、表示シートを各配電盤に取り付けられたシート係止体の係止部に対して表示シートを係脱することで、複数の配電盤に対する作業状態に応じて当該実働配電盤表示具を付け外しすることができる。また、前記シート係止体を係止部が配電盤の前面よりも前方に位置するように配電盤の前面から前方に向けて延出した延出状態にしたときに、表示シートを配電盤の前面に対して所定間隔を有して配設することができ、表示シートを取り外した状態で、シート係止体を配電盤の前面から後方側に退避した収納状態にすることで、作業を行うに際してシート係止体が邪魔になることのない状態にすることができる。
【００１１】
この場合、前記シート係止体は、基端部が配電盤に枢着され、枢着支点回りで回転させることで前記延出状態と収納状態とに切り替え可能に構成されることが好ましい。このようにすれば、シート係止体を回転させるといった簡単な操作で、シート係止体を延出状態と収納状態とに切り替えることができる。
【００１２】
さらに、本発明の他態様として、前記シート係止体は、配電盤の上部に取り付けられ、前記表示シートは、一端部にシート係止体に係止される被係止部が形成されると共に、他端部に錘部が形成されていてもよい。このようにすれば、表示シートの錘部の作用により、シート係止体に係止させた表示シートを真っすぐ垂下させることができ、配電盤の前面に対する間隔を略一定にすることができる。これにより、作業者が表示シートに接触しても、表示シートと対向する配電盤の少なくとも操作領域の全領域に対して表示シートが接触するような状態になりにくくなる。
【００１３】
また、本発明の別の態様として、前記表示シートは、少なくとも前記操作領域を視認可能な透明領域を有していることが好ましい。このようにすれば、実働中の配電盤の操作領域を視認することができ、当該配電盤の運転状況も確認することができる。
【発明の効果】
【００１４】
本発明の実働配電盤表示具によれば、各種作業を行う作業者に対し、実働中の配電盤を確実に認識させた上で、実働中の配電盤への接近に対する注意を確実に促すことができ、多少の接触で配電盤を誤操作（ミストリップ）したり、破損させたりすることがないという優れた効果を奏し得る。
【発明を実施するための最良の形態】
【００１５】
以下、本発明の一実施形態に係る実働配電盤表示具について、添付図面を参照しつつ説明する。なお、本実施形態においては、変電所或いは発電所における電力供給設備で使用する場合を一例にして説明することとする。
【００１６】
まず、本実施形態に係る実働配電盤表示具の説明に先立って、電力供給設備内の配電盤、及び配電盤の配置について概略すると、図１に示す如く、電力供給設備内には、受電盤や、リレー盤、Ｒｖ盤、オシロ盤、ＦＬ盤、Ｔｒ盤、ＴＣ盤等の複数種類の配電盤Ｐ１，Ｐ２，Ｐ３…が並設されている。各配電盤Ｐ１，Ｐ２，Ｐ３…の前面には、作業者が直接的、又は間接的に操作する操作領域Ｏａが形成されている。即ち、各配電盤Ｐ１，Ｐ２，Ｐ３…の前面には、作業者が目視等によって間接的に操作する計器類Ｉや、作業者が手動等によって直接的に操作するスイッチ類Ｓ等が配設されており、これらによって操作領域Ｏａが形成されている。各配電盤Ｐ１，Ｐ２，Ｐ３…は、前面（操作領域Ｏａ）を同方向に向けて横並びに並設されている。なお、配電盤Ｐ１，Ｐ２，Ｐ３…の入れ替え用のスペースや、新設する配電盤を設置するスペース等が配電盤Ｐ１，Ｐ２，Ｐ３…間に設けられている場合もある。
【００１７】
本実施形態に係る実働配電盤表示具は、上述の如く、横並びに並設された複数の配電盤Ｐ１，Ｐ２，Ｐ３…のうち、実働中の配電盤Ｐ１，Ｐ２，Ｐ３…を作業者に認識させるものであり、図２に示す如く、配電盤Ｐ１，Ｐ２，Ｐ３…が実働中である旨を表示するための表示シート１と、前記配電盤Ｐ１，Ｐ２，Ｐ３…に取り付けられ、配電盤Ｐ１，Ｐ２，Ｐ３…の前面（少なくとも操作領域Ｏａ）に対して前記表示シート１を所定間隔（約５〜１０ｃｍ以上（より好ましくは１５ｃｍ以上２５ｃｍ以下））で対向させて係止するシート係止体２とを備えている。
【００１８】
本実施形態に係る表示シート１は、絶縁を考慮して塩化ビニル樹脂製のシートが採用されている。該表示シート１は、配電盤Ｐ１，Ｐ２，Ｐ３…の前面における全領域に対応したサイズ及び形状に設定されており、本実施形態においては長方形状に設定されている。
【００１９】
該表示シート１は、配電盤Ｐ１，Ｐ２，Ｐ３…の操作領域Ｏａを視認可能な透明領域１０と、着色（例えば、赤色）が施されて作業者に当該表示シート１の存在を認識させて注意を促す視認領域１１とが形成されている。本実施形態において、視認領域１１は表示シート１の外周縁部の全周に亘って所定幅で形成されている。該視認領域１１は、表示シート１の主たる構成となる透明な樹脂シートの外周縁部にペイントを施したり、着色テープを貼着したりすることで形成し得る。
【００２０】
該表示シート１は、一端部に前記シート係止体２の後述する係止部２０に係止される被係止部１２が形成され、他端部に錘部１３が形成されている。即ち、表示シート１は、一端側をシート係止体２に係止させた状態で、錘部１３の作用によって表示シート１が略垂直方向に垂下できるように構成されている。
【００２１】
本実施形態においては、前記被係止部１２は、係止部２０を挿通させる孔によって構成されており、表示シート１の一端部において、両側端間に所定間隔を有して二つ設けられている。また、上述の如く、該表示シート１には、錘部１３が設けられているので、その錘部１３の作用で被係止部１２（孔）から表示シート１が裂けないように、被係止部１２（孔の）周縁部には金属製の保護環１２ａが取り付けられている。
【００２２】
一方、錘部１３は、棒状に形成された錘１３ａを表示シート１の他端部に巻き付けて接着することにより形成されており、表示シート１の全幅に亘って錘部１３の重量が作用するようになっている。なお、前記錘１３ａは、金属製の棒等を採用することができるが、本実施形態においては、所定長さ（表示シート１の幅に対応した長さ）に切断されたビニル被覆電線（約８スケア）が採用されている。
【００２３】
前記シート係止体２は、配電盤Ｐ１，Ｐ２，Ｐ３…の上部に取り付けられており、表示シート１を係止する係止部２０が先端に形成されている。本実施形態において、シート係止体２は、棒材で構成されており、先端部に前記係止部２０がフック状に形成される。該シート係止体２は、図３（イ）に示す如く、前記係止部２０が配電盤Ｐ１，Ｐ２，Ｐ３…の前面よりも前方に位置するように、配電盤Ｐ１，Ｐ２，Ｐ３…の前面から前方に向けて延出し、表示シート１を係止可能な状態（延出状態）と、図３（ロ）に示す如く、配電盤Ｐ１，Ｐ２，Ｐ３…の前面から後方側に退避した状態（収納状態）とに切り替え可能に構成されている。具体的には、配電盤Ｐ１の上部の前面に、シート係止体２を収容（収納）するための凹部Ｄが形成されており、前記シート係止体２の基端部が凹部Ｄ内に枢着され、枢着支点回りでシート係止体２を回転させることで、シート係止体２が凹部Ｄ内に完全に収容された収納状態と、先端部（係止部２０）側が配電盤Ｐ１の前面から突出した延出状態とに切り替わるようになっている。
【００２４】
該シート係止体２は、延出状態で表示シート１が配電盤Ｐ１，Ｐ２，Ｐ３…の前面に対して所定間隔を有して係止される位置に係止部２０（フック）が形成されている。本実施形態においては、表示シート１の被係止部１２と対応するように、シート係止体２は配電盤Ｐ１，Ｐ２，Ｐ３…の幅方向に間隔を有して二つ設けられている。
【００２５】
本実施形態に係る実働配電盤表示具は、以上の構成からなり、次に、取り付け態様等について説明すると、図２に示す如く、実働状態となる配電盤Ｐ１，Ｐ２，Ｐ３…の枢着されたシート係止体２を延出状態にする。そして、該シート係止体２の係止部２０を表示シート１の被係止部１２（孔）に挿通し、表示シート１の被係止部１２を係止させる。そうすると、錘部１３の重量が垂直方向に作用して、当該表示シート１がシワ無くまっすぐに垂設されることになる。これにより、表示シート１は、透明領域１０を介して配電盤Ｐ１，Ｐ２，Ｐ３…の操作領域Ｏａを視認可能で、且つ配電盤Ｐ１，Ｐ２，Ｐ３…の前面に対して所定間隔を有した状態となる。
【００２６】
そして、その配電盤Ｐ１，Ｐ２，Ｐ３…の周辺で他の配電盤Ｐ１，Ｐ２，Ｐ３…に対する作業が行われることになるが、表示シート１（特に、視認領域１１）の存在によって、周辺の作業者に対して配電盤Ｐ１，Ｐ２，Ｐ３…が実働中である旨の注意が促されることになる。仮に、作業者が配電盤Ｐ１，Ｐ２，Ｐ３…側に接近してきた場合、まず表示シート１に接触し、実働中の配電盤Ｐ１，Ｐ２，Ｐ３…に接近しすぎている旨の注意が促される。この際、作業者が表示シート１に接触しても、配電盤Ｐ１，Ｐ２，Ｐ３…の前面と表示シート１との間には間隙が形成されているので、表示シート１への接触によって配電盤Ｐ１，Ｐ２，Ｐ３…の操作領域Ｏａ（スイッチ類Ｓ）に表示シート１が接触して誤操作（ミストリップ）してしまうことが防止される。
【００２７】
特に、本実施形態においては、表示シート１を配電盤Ｐ１，Ｐ２，Ｐ３…の前面の全領域に対応したサイズ及び形状に設定しているので、錘部１３（表示シート１の下端）が配電盤Ｐ１，Ｐ２，Ｐ３…の設置面に対して略接触、或いはやや隙間を有した状態となっており、作業者が表示シート１に接触してしまった場合に、表示シート１がシート係止体２の係止部２０を支点にして揺れ動いても、表示シート１と配電盤Ｐ１，Ｐ２，Ｐ３…の前面との間に必ず間隙が形成され、操作領域Ｏａを誤操作してしまうことが確実に防止される。即ち、表示シート１の揺れ動きの支点となる係止部２０は、配電盤Ｐ１，Ｐ２，Ｐ３…の前面から所定距離（表示シート１と操作領域Ｏａとの間隔に対応する距離）離れた位置に存在するため、表示シート１の他端（下端）が地面（設置面）近傍に位置するように表示シート１の長さを設定することで、表示シート１の揺れ動きによって下端が配電盤Ｐ１，Ｐ２，Ｐ３…側に接近しても、その他の領域で間隙が確保されることになり、操作領域Ｏａと表示シート１との接触が確実に防止される。
【００２８】
そして、一連の作業が終了し、例えば、実働配電盤表示具（表示シート１）を取り付けていた配電盤Ｐ１，Ｐ２，Ｐ３…の修理等を行う場合には、表示シート１をシート係止体２から取り外し、該シート係止体２を収納状態にすることで、シート係止体２が邪魔にならずに当該配電盤Ｐ１，Ｐ２，Ｐ３…に対する作業を行うことができる。
【００２９】
以上のように、本実施形態に係る実働配電盤表示具は、配電盤Ｐ１，Ｐ２，Ｐ３…が実働中である旨を表示する表示シート１と、前記配電盤Ｐ１，Ｐ２，Ｐ３…に取り付けられ、配電盤Ｐ１，Ｐ２，Ｐ３…の操作領域Ｏａに対して表示シート１を所定間隔で対向させるように、該表示シート１を係止するシート係止体２とを備えているので、表示シート１の存在によって、周辺の作業者に対して配電盤Ｐ１，Ｐ２，Ｐ３…が実働中である旨の注意を促すことができる。また、作業者が表示シート１に接触してしまっても、操作領域Ｏａとの間の間隙によって表示シート１が操作領域に接触することなく、作業者に対して実働中の配電盤Ｐ１，Ｐ２，Ｐ３…に接近しすぎている旨の注意を促すことができる上に、表示シート１への接触によって配電盤Ｐ１，Ｐ２，Ｐ３…の操作領域Ｏａを誤操作（ミストリップ）したり、破損させたりしてしまうのを防止することができる。特に、本実施形態においては、常態においてシート係止体２に係止された表示シート１の下端（錘部１３）が設置面に接近した態様となるように表示シート１のサイズを設定したので、作業者が接触して表示シート１が揺れ動いても、常に配電盤Ｐ１，Ｐ２，Ｐ３…の前面の全領域と表示シート１との間に間隙が形成され、誤操作等の発生を確実に防止することができる。
【００３０】
さらに、本実施形態に係る実働配電盤表示具は、表示シート１がシート係止体２に係脱可能に構成されているので、表示シート１をシート係止体２に係脱することで、複数の配電盤Ｐ１，Ｐ２，Ｐ３…に対する作業に応じて該実働配電盤表示具（表示シート１）を付け外しすることができる。
【００３１】
また、本実施形態に係る実働配電盤表示具は、表示シート１の被係止部１２を孔で構成すると共に、シート係止体２の先端部にフック状の係止部２０を形成したので、シート係止体２に対して表示シート１を容易に取り外しすることができる。また、前記シート係止体２の基端部を配電盤Ｐ１，Ｐ２，Ｐ３…に枢着して、該シート係止体２の姿勢を延出状態と収納状態とに切り替え可能にしたので、表示シート１を取り外して各配電盤Ｐ１，Ｐ２，Ｐ３…に対する作業を行うに際し、簡単な操作でシート係止体２が邪魔になることのない状態にすることができる。
【００３２】
また、本実施形態に係る実働配電盤表示具は、シート係止体２が配電盤Ｐ１，Ｐ２，Ｐ３…の上部に取り付けられ、表示シート１が一端部にシート係止体２に係止される被係止部１２が形成されると共に、他端部に錘部１３が形成されているので、錘部１３の重量の作用により、シート係止体２に係止させた表示シート１を真っすぐ垂下させることができ、配電盤Ｐ１，Ｐ２，Ｐ３…の前面に対する間隔を一定にすることができる。これにより、作業者が表示シート１に接触しても、表示シート１と対向する配電盤Ｐ１，Ｐ２，Ｐ３…の前面の全領域に対して表示シート１が接触するような状態になりにくくすることができる。
【００３３】
さらに、本実施形態に係る実働配電盤表示具は、表示シート１に操作領域Ｏａを視認可能な透明領域１０と、当該表示シート１の存在を認識させるための視認領域１１とを形成するようにしたので、視認領域１１によって配電盤Ｐ１，Ｐ２，Ｐ３…が実働状態であることを作業者に確実に認識させることができる上に、透明領域１０を介して配電盤Ｐ１，Ｐ２，Ｐ３…の操作領域Ｏａを視認して該配電盤Ｐ１，Ｐ２，Ｐ３…の運転状況も確認することができる。
【００３４】
尚、本発明の実働配電盤表示具は、上記実施形態に限定されるものではなく、本発明の要旨を逸脱しない範囲内において種々変更を加え得ることは勿論である。
【００３５】
上記実施形態において、シート係止体２を配電盤Ｐ１，Ｐ２，Ｐ３…に取り付けて、表示シート１をシート係止体２に係脱可能にすることで、当該表示シート１の付け外しを可能にしたが、これに限定されるものではなく、例えば、シート係止体２を配電盤Ｐ１，Ｐ２，Ｐ３…に対して着脱可能に構成するようにしてもよい。この場合、配電盤Ｐ１の前面に対してシート係止体２の基端部を挿脱できるようにすれば、簡易な構成でシート係止体２の取り外しが可能となる。但し、この場合においても、シート係止体２を配電盤Ｐ１，Ｐ２，Ｐ３…に取り付けた状態で、表示シート１を配電盤Ｐ１，Ｐ２，Ｐ３…の前面に対して所定間隔で対向するように係止できる構成にすることは勿論のことである。
【００３６】
上記実施形態において、シート係止体２の係止部２０をフック状に形成したが、これに限定されるものではなく、例えば、シート係止体２の先端部の上部に溝を形成し、当該溝で係止部２０を構成するようにしてもよい。
【００３７】
上記実施形態において、シート係止体２を収納状態にすべく、配電盤Ｐ１の前面に凹部Ｄを形成すると共に、該凹部Ｄ内にシート係止体２の基端部を枢着するようにしたが、これに限定されるものではなく、例えば、配電盤Ｐ１の上面にシート係止体２を枢着するようにしてもよい。但し、上記実施形態の如く、係止部２０をフック状に形成した場合、配電盤Ｐ１の上面にシート係止体２を直接枢着すると、シート係止体２を収納状態にするに際して係止部２０と配電盤Ｐ１とが干渉する場合があるため、スペーサーを介在させる等して、配電盤Ｐ１の上面に対してシート係止体２の基端部の枢着位置を考慮することは勿論のことである。
【００３８】
上記実施形態において、表示シート１の外周縁部に視認領域１１を形成するようにしたが、これに限定されるものではなく、例えば、表示シート１全体を透明領域１０にするようにしたり、配電盤Ｐ１，Ｐ２，Ｐ３…の操作領域Ｏａを視認できる透明領域１０を残して適宜視認領域１１を形成したりするようにしてもよい。また、表示シート１は、配電盤Ｐ１，Ｐ２，Ｐ３…の前面の全領域に対向可能なサイズのものに限定されるものではなく、少なくとも操作領域Ｏａと対向できるサイズであればよい。但し、配電盤Ｐ１，Ｐ２，Ｐ３…と表示シート１との間に確実に間隙を作るには、表示シート１の下端を操作領域Ｏａよりも下方側に位置（より好ましくは設置面に接近する位置）させるようにサイズ（長さ）設定することが好ましい。なお、表示シート１のサイズ等は、配電盤Ｐ１，Ｐ２，Ｐ３…に対するシート係止体２の取り付け位置によって適宜変更されるものであることは言うまでもない。
【００３９】
上記実施形態において、シート係止体２を配電盤Ｐ１，Ｐ２，Ｐ３…の上部に二つ設けるようにしたが、例えば、表示シート１の一端部の略中央を係止するようにシート係止体２を一つ設けるようにしてもよい。この場合、表示シート１体の一端部における両側端部が折れ曲がらないように、表示シート１の一端部に心材を設けることが好ましい。また、シート係止体２は、配電盤Ｐ１，Ｐ２，Ｐ３…の上部にのみに取り付けたものに限定されるものではなく、例えば、配電盤Ｐ１，Ｐ２，Ｐ３…の上部、中部、下部のそれぞれにシート係止体２を設けて表示シート１の外周端部を適宜係止するようにしてもよい。
【００４０】
上記実施形態において、シート係止体２の基端部を配電盤Ｐ１，Ｐ２，Ｐ３…に枢着し、当該シート係止体２を延出状態と収納状態とに切り替え可能に構成したが、例えば、シート係止体２を軸心方向に伸縮自在（テレスコピック）に構成し、延出状態と収納状態とに切り替え可能に構成するようにしてもよい。
【００４１】
上記実施形態において、表示シート１そのものをシート係止体２に係止させるようにしたが、これに限定されるものではなく、例えば、表示シート１をロールカーテン状に構成してシート係止体２に係止させるようにしてもよい。このようにすれば、表示シート１を巻き上げることで、配電盤Ｐ１，Ｐ２，Ｐ３…に対する直接的な操作を容易に行うことができる。
【００４２】
上記実施形態において、表示シート１の錘部１３の錘１３ａにビニル被覆電線を採用したが、これに限定されるものではなく、例えば、金属製の棒材を採用してもよい。また、錘部１３は、表示シート１の他端部を錘１３ａに巻き付けて接着することで形成されたものに限定されるものではなく、例えば、表示シート１の他端部に錘１３ａを連設（括り付ける等）したものであってもよい。
【図面の簡単な説明】
【００４３】
【図１】本発明の一実施形態に係る実働配電盤表示具を取り付ける配電盤及び配電盤の配置を説明するための概略説明図を示す。
【図２】同実施形態に係る実働配電盤表示具であって、配電盤に取り付けた状態の斜視図を示す。
【図３】同実施形態に係るシート係止体であって、（イ）は、延出状態を示し、（ロ）は、収納状態を示す。
【符号の説明】
【００４４】
１…表示シート、２…シート係止体、１０…透明領域、１１…視認領域、１２…被係止部（孔）、１２ａ…保護環、１３…錘部、１３ａ…錘、２０…係止部、Ｉ…計器類、Ｓ…スッチ類、Ｏａ…操作領域、Ｐ１，Ｐ２，Ｐ３…配電盤、Ｄ…凹部
【図１】
2006223072.tif 000003
【図２】
2006223072.tif 000004
【図３】
2006223072.tif 000005